(57)【要約】【課題】特別な論理回路を用いずに非常に簡単な回路構成でスリープ状態のときにディスク管理情報を記憶するメモリにのみ電源電圧を与えて続けることができる。【解決手段】本発明のディスクドライブ装置は、スリープ時でも、ディスク管理情報を記憶しているメモリに電源電圧を与えるサブ電源回路２４を備えている。サブ電源回路２５には、出力端子（VDD_2）とチップイネーブル端子（CE）との間にダイオード２８が接続されている。システムコントローラ１７は、メイン電源回路２４をオフしてスリープ状態に遷移する場合には、このチップイネーブル端子（CE）をハイレベルとした後に、メイン電源回路２４の動作を停止する。【選択図】図２
2005243125.tif 000002
【特許請求の範囲】
【請求項１】
着脱可能なディスク状記録媒体の記録又は再生を行うディスクドライブ装置において、
上記ディスク状記録媒体の管理情報を記憶する揮発性メモリと、
制御処理を行う制御回路と、
上記制御回路及び上記揮発性メモリを含めた各回路を動作させるための直流電源電圧を発生するメイン電源回路と、
少なくとも上記揮発性メモリを動作させるための直流電源電圧を発生するサブ電源回路と、
ダイオードとを備え、
上記サブ電源回路は、少なくとも上記揮発性メモリを動作させるための直流電源電圧を出力する出力端子と、端子レベルがハイとされると上記出力端子から上記直流電源電圧を出力させ、端子レベルがローとされると上記出力端子から直流電源電圧の出力を停止させるチップイネーブル端子とを有し、
上記ダイオードは、アノードが上記サブ電源回路の上記出力端子に接続され、カソードが上記チップイネーブル端子に接続されており、
上記制御回路は、上記メイン電源回路から発生される直流電源電圧を停止する場合は、上記チップイネーブル端子をハイレベルとした後に、上記メイン電源回路の動作を停止すること
を特徴とするディスクドライブ装置。
【請求項２】
上記サブ電源回路の動作停止時に、上記メイン電源回路から出力される電流が上記サブ電源回路の出力端子に流入しないようにするための第１の流入防止回路と、
上記メイン電源回路の動作停止時に、上記サブ電源回路から出力される電流が上記メイン電源回路の出力端子に流入しないようにするための第２の流入防止回路とを備えること
を特徴とする請求項１記載のディスクドライブ装置。
【請求項３】
上記制御回路は、上記メイン電源回路が起動された後に、上記チップイネーブル端子をローレベルとすること
を特徴とする請求項２記載のディスクドライブ装置。
【発明の詳細な説明】
【技術分野】
【０００１】
本発明は、例えば、光磁気ディスク等のディスク状記録媒体の記録又は再生を行うディスクドライブ装置に関するものである。
【背景技術】
【０００２】
ディジタルオーディオデータを記録再生するための記録媒体として、カートリッジに収納された直径６４ｍｍの光磁気ディスクであるミニディスク（ＭＤ）が広く普及している。ミニディスクに対してオーディオデータの記録再生を行うシステムは、ディスク自体が小型で安価であることから、ポータブルなオーディオデータの記録再生機器として非常に優れている。
【０００３】
ＭＤ等のディスク記録再生システムでは、ディスクに記録された音声データを再生する場合、まず、ＴＯＣやＦＡＴ等のディスク管理情報を読み出し、その後、音声データを読み出す必要がある。この読み出し時間は、通常、数秒〜数十秒費やされる。そのため、記録再生システムが、スリープ状態となると、ディスク管理情報を記憶しているメモリがクリアされるので、次の操作時にも読み出し時間として再度、数秒〜数十秒費やされる。
【０００４】
このようなＴＯＣやＦＡＴ等のディスク管理情報の読み出し時間を削減するために、一般のディスク記録再生システムでは、スリープ中にも、ディスク管理情報を記憶するメモリにのみ電源を与えておくメモリ保持機能が設けられている。
【０００５】
このようなメモリ保持機能を設けるためには、メインの電源回路の他に容量の小さいサブの電源回路を設けておき、メイン電源回路がオフとなる直前にサブ電源回路を起動させ、ディスク管理情報を記憶するメモリに電源を投入すればよい。
【０００６】
これにより、スリープ状態から復帰した場合には、あらためてＴＯＣ情報やＦＡＴ等のディスク管理情報を読み出さずに済み、直ぐに音声データの記録又は再生を行うことが可能となる。
【発明の開示】
【発明が解決しようとする課題】
【０００７】
ところで、通常、電源回路では、電圧出力させるにはチップイネーブル端子にハイレベルの信号を供給し、電圧出力を停止させるにはチップイネーブル端子にローレベルの信号を供給する構成となっている。
【０００８】
そのため、メイン電源回路がオフとなる直前にサブ電源回路を起動させ、その後、サブ電源回路を動作させ続けるには、システムコントローラへの電源供給が停止するために、システムコントローラ等から出力された制御信号を直接チップイネーブル端子に供給するわけにはいかず、例えば、フリップフロップ回路のような特別な論理回路を介して、チップイネーブル端子にハイレベルの信号を供給しなければならない。
【０００９】
本発明は、このような問題を解決するものであり、特別な論理回路を用いずに非常に簡単な回路構成で、スリープ状態のときにディスク管理情報を記憶するメモリにのみ電源電圧を与えて続けることができるディスクドライブ装置を提供することを目的としている。
【課題を解決するための手段】
【００１０】
本発明に係るディスクドライブ装置は、着脱可能なディスク状記録媒体の記録又は再生を行うディスクドライブ装置であって、上記ディスク状記録媒体の管理情報を記憶する揮発性メモリと、制御処理を行う制御回路と、上記制御回路及び上記揮発性メモリを含めた各回路を動作させるための直流電源電圧を発生するメイン電源回路と、少なくとも上記揮発性メモリを動作させるための直流電源電圧を発生するサブ電源回路と、ダイオードとを備え、上記サブ電源回路は、少なくとも上記揮発性メモリを動作させるための直流電源電圧を出力する出力端子と、端子レベルがハイとされると上記出力端子から上記直流電源電圧を出力させ、端子レベルがローとされると上記出力端子から直流電源電圧の出力を停止させるチップイネーブル端子とを有し、上記ダイオードは、アノードが上記サブ電源回路の上記出力端子に接続され、カソードが上記チップイネーブル端子に接続されており、上記制御回路は、上記メイン電源回路から発生される直流電源電圧を停止する場合は、上記チップイネーブル端子をハイレベルとした後に、上記メイン電源回路の動作を停止する。
【発明の効果】
【００１１】
このような構成の本発明に係るディスクドライブ装置では、管理情報を記憶している揮発性メモリを動作させるための直流電源電圧を発生するサブ電源回路のチップイネーブル端子に、当該サブ電源回路の出力電圧をダイオードを介して供給することにより、当該サブ電源回路の動作を保持する。
【００１２】
このことにより本発明に係るディスクドライブ装置では、特別な論理回路を用いずに非常に簡単な回路構成で、スリープ状態のときにディスク管理情報を記憶するメモリにのみ電源電圧を与えて続けることができる。
【発明を実施するための最良の形態】
【００１３】
以下、本発明の最良の実施形態として、本発明が適用されたディスク状の光磁気記録媒体である光磁気ディスクの記録再生装置（ディスク記録再生装置）について説明をする。
【００１４】
本実施形態のディスク記録再生装置は、カートリッジに収納された直径約６．４センチの光磁気ディスク（以下、単にディスク１という。）に対して、データの記録及び再生を行う装置である。
【００１５】
本実施形態のディスク記録再生装置は、持ち運び可能な小型機器であり、その筐体は人間が片手で持てる程度の大きさである。本実施形態のディスク記録再生装置は、電池が内蔵可能となっており、それ自体単体で音楽及び音声の記録及び再生を行うことができる。本実施形態のディスク記録再生装置は、ＵＳＢインタフェースを介してパーソナルコンピュータ等のホスト機器にも接続することが可能であり、この場合には当該ホスト機器の外付けのストレージデバイスとして機能する。
【００１６】
つぎに、本発明の実施の形態のディスク記録再生装置１０の構成について説明をする。
【００１７】
図１にディスク記録再生装置１０のブロック構成図を示す。
【００１８】
ディスク記録再生装置１０は、ディスク１に対してデータの書き込み及び読み出しを行うメディアドライブ部１１と、本装置のホスト機器となるパーソナルコンピュータ（以下ＰＣという。）２との間のＵＳＢケーブル３を介してデータ転送を行うＵＳＢ（Universal Serial Bus）インタフェース回路１２と、キャッシュメモリ１３と、管理情報メモリ１４と、データ転送を制御するメモリ転送コントローラ１５と、メディアドライブ部１１に対して書き込み及び読み出されるオーディオデータに対する処理を行うオーディオ処理部１６と、当該装置の中央制御を行うシステムコントローラ１７と、操作/表示部１８と、電源管理部２０とを備えている。
【００１９】
メディアドライブ部１１には、カートリッジに収納されたディスク１が装着される。ディスク１は、メディアドライブ部１１に対して装着及び取り外しが自在となっている。メディアドライブ部１１は、装着されたディスク１に対するデータの書き込み及び読み出しを行う。
【００２０】
ＵＳＢインタフェース回路１２は、ＵＳＢコネクタ１２ａに接続されたＵＳＢケーブル３を介して、ＰＣ２との間でＵＳＢのデータ転送規格に準拠したデータの送受信制御を行う回路である。ＵＳＢコネクタ１２ａは、ＵＳＢケーブル３が挿入されるコネクタである。ディスク記録再生装置１０は、ＵＳＢコネクタ１２ａにＵＳＢケーブル３が接続され、且つ、ＰＣ２にもそのＵＳＢケーブル３が接続されることにより、ホスト機器をＰＣ２とした外付けデバイスの一つとして機能することとなる。
【００２１】
キャッシュメモリ１３は、メディアドライブ部１１によってディスク１から読み出された音声データ等及びディスク１に対して書き込む音声データ等を、一時的に記憶するバッファリング回路である。
【００２２】
管理情報メモリ１４は、いわゆるＤＲＡＭから構成された揮発性メモリである。管理情報メモリ１４は、メディアドライブ部１１によってディスク１から読み出されたディスク管理情報や各種の特殊情報を記憶する。例えば、メディアドライブ部１１によってディスク１から読み出されたＴＯＣ（Table Of Contents）やＦＡＴ(File Allocation Table)等のディスク管理情報を記憶する。
【００２３】
メモリ転送コントローラ１５は、キャッシュメモリ１３及び管理情報メモリ１４に対するデータの書き込み及び読み出し制御を行う。
【００２４】
オーディオ処理部１６は、ＵＳＢケーブル３が取り外された状態でデータの記録再生を行う際に用いられるエンコーダ及びデコーダである。オーディオ処理部１６は、オーディオ信号の入力系として、例えばライン入力回路／マイクロホン入力回路等のアナログ音声信号入力部、アナログ入力されたオーディオ信号をデジタルに変換するＡ/Ｄ変換回路、及び、ディジタルオーディオデータ入力部を有している。また、オーディオ処理部１６は、オーディオ出力系として、ディジタルオーディオデータ出力部、デジタルのオーディオデータをアナログ信号に変換するＤ/Ａ変換回路、ライン出力回路／ヘッドホン出力回路等のアナログ音声信号出力部を有している。また、オーディオ処理部１６は、ＡＴＲＡＣ方式の圧縮/伸張回路を有している。
【００２５】
システムコントローラ１７は、ディスク記録再生装置１０内の全体の制御を行うとともに、接続されたＰＣ２との間の通信制御を行う。また、システムコントローラ１７は、ＵＳＢインタフェース回路１２を介して接続されたＰＣ２との間で通信可能とされ、書込要求、読出要求等のコマンドの受信やステイタス情報そのほかの必要情報の送信などを行う。
【００２６】
また、システムコントローラ１７は、ディスク１がメディアドライブ部１１に装着された際に、ＴＯＣやＦＡＴ等のディスク管理情報の読出をメディアドライブ部１１に指示し、メディアドライブ部１１によって読み出されたディスク管理情報を管理情報メモリ１４に格納させる。システムコントローラ１７は、これらディスク管理情報を参照することによって、ディスク１のトラック記録状態を把握できる。また、ＦＡＴ等のディスク管理情報を参照することにより、ユーザエリアのクラスタ構造を把握でき、ＰＣ２からユーザエリアに対するアクセス要求に対応できる状態となる。また、システムコントローラ１７は、ユニークＩＤやハッシュ値により、ディスク認証処理及びその他の処理を実行し、これらの値をＰＣ２に送信し、ＰＣ２上でディスク認証処理及びその他の処理を実行させる。
【００２７】
操作/表示部１８は、例えば、再生ボタン、ストップボタン、一時停止ボタン、記録開始ボタン、ジョグダイヤル（回転押下スイッチ）等の各種操作部と、例えばＬＣＤ(Liquid Crystal Display)からなる表示部とから構成されている。操作/表示部１８は、ユーザによる各種操作部からの入力情報をシステムコントローラ１７に供給する。また、操作/表示部１８は、システムコントローラ１７から与えられるテキストデータやＧＵＩ等の情報を表示部に表示する。
【００２８】
このようなディスク記録再生装置１０は、ＰＣ２と接続されずに動作をするスタンドアローン動作と、ＰＣ２とＵＳＢケーブル３で接続されて動作するスレーブ動作との２つの動作を行う。
【００２９】
スタンドアローン動作でオーディオ信号をディスク１に記録する場合には、ディスク記録再生装置１０は、オーディオ処理部１６の入力系を介して外部から入力されたオーディオ信号を、オーディオ処理部１６がＡＴＲＡＣ方式で圧縮し、圧縮したオーディオデータをメディアドライブ部１１に転送する。メディアドライブ部１１は、転送されてきたオーディオデータをユーザエリアの空き領域に記録してゆく。
【００３０】
スタンドアローン動作でオーディオ信号をディスク１から再生する場合には、ディスク記録再生装置１０は、操作/表示部１８を介してユーザにより指定がされたタイトルのオーディオデータの再生命令をメディアドライブ部１１に与える。メディアドライブ部１１は、与えられた再生命令に従ってディスク１からデータを読み出してゆく。オーディオ処理部１６は、メディアドライブ部１１から読み出されたオーディオデータをＡＴＲＡＣ方式で伸張し、伸張したオーディオ信号を出力系を介して外部に出力する。
【００３１】
スレーブ動作でＰＣ２からディスク１にデータを記録する場合、ＵＳＢインタフェース回路１２を介してＰＣ２からディスク記録再生装置１０へ書き込みデータとともに書き込み命令が入力される。ディスク記録再生装置１０は、入力された書き込みデータをキャッシュメモリ１３に一旦格納したのち、メディアドライブ部１１に転送する。メディアドライブ部１１は、入力されたデータを、書き込み命令により指定されたアドレスのクラスタに書き込みを行う。
【００３２】
スレーブ動作でディスク１からデータをＰＣ２へ転送する場合、ＵＳＢインタフェース回路１２を介してＰＣ２からディスク記録再生装置１０へ読み出し命令が入力される。メディアドライブ部１１は、読み出し命令で指定されたアドレスからデータの読み出しを行う。読み出されたデータは、メモリ転送コントローラ１２によってキャッシュメモリ１３に一旦格納される。但し、既にそのデータがキャッシュメモリ１３に既に格納されていた場合、メディアドライブ部１１による読出は必要ない。ディスク記録再生装置１０は、キャッシュメモリ１３に格納されているデータを、ＵＳＢケーブル３を介してＰＣ２に転送する。
【００３３】
つぎに、ディスク記録再生装置１０の電源管理部２０について説明をする。
【００３４】
ディスク記録再生装置１０は、上述したように電源管理部２０を備えている。電源回路部２０は、装置全体に安定化された直流の電源電圧（ＶＤＤ）を供給するともに、その供給状態を管理する直流電圧源である。
【００３５】
電源管理部２０には、全回路に対して電源供給を行う通常動作状態、電源停止状態及びスリープ状態の３つの状態の管理を行う。
【００３６】
通常動作状態とは、記録動作や再生動作等が行える通常の動作が可能な状態である。通常動作状態のときには、電源管理部２０は、ディスク記録再生装置１０の全回路を動作させるために、全ての回路に電源電圧（ＶＤＤ）を供給する。すなわち、通常動作状態のときには、電源管理部２０は、メディアドライブ部１１、ＵＳＢインタフェース回路１２、キャッシュメモリ１３、管理情報メモリ１４、メモリ転送コントローラ１５、オーディオ処理部１６、システムコントローラ１７及び操作/表示部１８に、安定化した電源電圧（ＶＤＤ）を供給する。
【００３７】
電源停止状態とは、全ての回路への電源電圧（ＶＤＤ）の供給を停止し、全く動作をしていない状態である。電源停止状態のときには、電源管理部２０は、全ての回路に電源電圧（ＶＤＤ）の供給を停止するとともに自身の動作も停止し、ディスク記録再生装置１０の全回路の動作を停止させる。
【００３８】
スリープ状態とは、一時的に動作を停止した状態で、必要最低限の回路にのみ電源を供給している状態である。スリープ状態とすることができることで、動作が停止している最中の消費電流を抑えることができるとともに、再起動時の起動時間を電源停止状態から起動するときよりも短くすることができる。
【００３９】
具体的には、電源管理部２０は、スリープ状態のときに、ＴＯＣやＦＡＴ等のディスク管理情報が格納されている揮発性の管理情報メモリ１４に電源電圧（ＶＤＤ）を供給し、その他の回路への電源電圧（ＶＤＤ）の供給を停止している。管理情報メモリ１４に電源電圧（ＶＤＤ）を供給しておくことにより、管理情報メモリ１４に記憶されているＴＯＣやＦＡＴ等のディスク管理情報が消去されず、再起動後にその情報を利用することができる。従って、ディスク記録再生装置１０では、ＴＯＣやＦＡＴ等のディスク管理情報を読み出すのに数秒〜数十秒費やされるが、この読み出し時間が必要なくなるので再起動時の起動時間を短縮することができる。
【００４０】
以上のようなスリープ状態を実現する電源管理部２０の回路構成について説明をする。
【００４１】
電源管理部２０の回路構成を図２に示す。なお、図２中、太線は電源電圧（ＶＤＤ）が流れる電源線であり、細線は制御信号が伝達される制御線である。
【００４２】
電源管理部２０には、メイン電源端子２１と、サブ電源端子２２とが設けられている。
【００４３】
メイン電源端子２１は、通常動作状態中に電源電圧（ＶＤＤ）が出力される端子である。メイン電源端子２１は、システムコントローラ１７を含む、ディスク記録再生装置１０内の各回路の電源入力端子に接続される。
【００４４】
サブ電源端子２２は、スリープ状態中に電源電圧（ＶＤＤ）が出力される端子である。サブ電源端子２２は、少なくとも管理情報メモリ１４を含む、スリープ状態中に動作する回路の電源入力端子に接続される。
【００４５】
また、電源管理部２０は、電池２３と、メイン電源回路２４と、サブ電源回路２５と、第１のスイッチ２６と、第１のダイオード２７と、第２のダイオード２８と、第３のダイオード２９と、第２のスイッチ３０と、起動コントロール回路３１とを備えている。
【００４６】
メイン電源回路２４は、通常動作状態中に各回路を動作させるための電源電圧（ＶＤＤ＿１）を発生する回路である。メイン電源回路２４には、電池２３の出力電圧が入力端子（ＩＮ＿１）から入力される。メイン電源回路２４は、入力された電池電圧を昇圧又は降圧し、負荷に関わらず安定化した直流電圧である電源電圧（ＶＤＤ＿１）を出力端子（ＯＵＴ＿１）から発生する。
【００４７】
メイン電源回路２４の出力端子（ＯＵＴ＿１）は、メイン電源端子２１に接続されている。従って、メイン電源回路２４から発生された電源電圧（ＶＤＤ＿１）は、メイン電源端子２１と接続された各回路に供給される。
【００４８】
メイン電源回路２４の出力端子（ＯＵＴ＿１）は、第１のスイッチ２６を介して、サブ電源端子２２にも接続されている。第１のスイッチ２６は、システムコントローラ１７から出力される制御信号であるFFCLR信号によりオンオフの制御がされる。具体的には、第１のスイッチ２６は、FFCLR信号の論理レベルがハイのときには、メイン電源回路２４の出力端子（ＯＵＴ＿１）とサブ電源端子２２との間を接続し、FFCLR信号の論理レベルがローのときには、メイン電源回路２４の出力端子（ＯＵＴ＿１）とサブ電源端子２２との間を開放する。従って、メイン電源回路２４から発生された電源電圧（ＶＤＤ＿１）は、FFCLR信号の論理レベルがハイのときには、サブ電源端子２２と接続された管理情報メモリ１４に供給され、FFCLR信号の論理レベルがローのときには、サブ電源端子２２と接続された管理情報メモリ１４に供給されない。なお、FFCLR信号は、システムコントローラ１７に電源電圧（ＶＤＤ）が供給されていないときには、論理レベルがローとなっている。
【００４９】
サブ電源回路２５は、スリープ状態中に管理情報メモリ１４を動作させるための電源電圧（ＶＤＤ＿２）を発生する回路である。サブ電源回路２５には、電池２３の出力電圧が入力端子（ＩＮ＿２）から入力される。サブ電源回路２５は、入力された電池電圧を昇圧又は降圧し、負荷に関わらず安定化した直流電圧である電源電圧（ＶＤＤ＿２）を出力端子（ＯＵＴ＿２）から発生する。
【００５０】
サブ電源回路２５の出力端子（ＯＵＴ＿２）は、第１のダイオード２７を介して、サブ電源端子２２に接続されている。第１のダイオード２７は、アノードが出力端子（ＯＵＴ＿２）、カソードがサブ電源端子２２に接続されている。従って、サブ電源回路２５から発生された電源電圧（ＶＤＤ＿２）は、サブ電源端子２２と接続された各回路に供給される。さらに、第１のダイオード２７が設けられていることによって、第１のスイッチ２６が閉じている状態であっても、メイン電源回路２４から発生される電流が、サブ電源回路２５の出力端子（ＯＵＴ＿２）に逆流することを防止している。
【００５１】
なお、サブ電源回路２５の出力端子（ＯＵＴ＿２）の電圧レベルは、制御信号であるDRAM_HOLD_DET信号として、システムコントローラ１７に入力されている。従って、システムコントローラ１７は、DRAM_HOLD_DET信号の論理レベルがハイであれば、サブ電源回路２５が動作していると判断でき、DRAM_HOLD_DET信号の論理レベルがローであれば、サブ電源回路２５が動作していないと判断できる。また、メイン電源回路２４から発生される電圧（ＶＤＤ＿１）は、サブ電源回路２５から発生される電圧（ＶＤＤ＿２）より同じか若しくは低く設定がしてある。このことにより、第１のスイッチ２６が閉じている状態であっても、第１のダイオード２７による電圧降下により、サブ電源回路２５の出力電流がメイン電源回路２４の出力端子（ＯＵＴ＿１）に逆流することはない。
【００５２】
第２のダイオード２８は、アノードがサブ電源回路２５の出力端子（ＯＵＴ＿２）に接続され、カソードがサブ電源回路２５のチップイネーブル端子（ＣＥ）に接続されている。サブ電源回路２５は、チップイネーブル端子（ＣＥ）に論理レベルがハイの制御信号が入力されると動作を行い、チップイネーブル端子（ＣＥ）に論理レベルがローの制御信号が入力されると動作を停止する。つまり、チップイネーブル端子（ＣＥ）に論理レベルがハイの制御信号が入力されると、出力端子（ＯＵＴ＿２）から安定化した電源電圧（ＶＤＤ＿２）を発生し、チップイネーブル端子（ＣＥ）に論理レベルがローの制御信号が入力されると、出力端子（ＯＵＴ＿２）から電圧を発生しない。
【００５３】
すなわち、サブ電源回路２５は、発生している電源電圧（ＶＤＤ＿２）が、第２のダイオード２８を介して、論理レベルがハイの制御信号としてチップイネーブル端子（ＣＥ）に帰還する。このため、サブ電源回路２５は、一旦動作が開始すると、チップイネーブル端子（ＣＥ）に自己フィードバックがかかり、外部から制御信号を与えなくても動作が続行し続ける。
【００５４】
また、サブ電源回路２５のチップイネーブル端子（ＣＥ）には、第３のダイオード２９を介して、システムコントローラ１７から発生される制御信号であるDRAM_ALONE信号が入力される。第３のダイオード２９は、アノードがシステムコントローラ１７に接続され、カソードがチップイネーブル端子（ＣＥ）に接続されている。
【００５５】
従って、サブ電源回路２５は、DRAM_ALONE信号の論理レベルがハイとなると、動作を開始し、以後、DRAM_ALONE信号の論理レベルがローとなっても、電圧発生動作を続行し続ける。
【００５６】
また、サブ電源回路２５のチップイネーブル端子（ＣＥ）には、第２のスイッチ３０を介して、グランドに接続されている。第２のスイッチ３０は、システムコントローラ１７から出力される制御信号であるDRAM_VDD_CLR信号によりオンオフの制御がされる。具体的には、第２のスイッチ３０は、DRAM_VDD_CLR信号の論理レベルがハイのときには、チップイネーブル端子（ＣＥ）とグランドとの間を接続し、DRAM_VDD_CLR信号の論理レベルがローのときには、チップイネーブル端子（ＣＥ）とグランドとの間を開放する。
【００５７】
従って、サブ電源回路２５は、DRAM_VDD_CLR信号の論理レベルがハイのときには、チップイネーブル端子（ＣＥ）の論理レベルがローとされ、このことにより、電圧発生動作を停止し、以後、DRAM_VDD_CLR信号の論理レベルがローとなっても、動作が停止し続ける。
【００５８】
起動コントロール回路３１は、メイン電源回路２４に対して電圧発生動作を開始させるための回路である。起動コントロール回路３１は、電源停止状態又はスリープ状態のとき（このときにはメイン電源回路２４は動作を停止している。）、操作/表示部１８の操作ボタンを用いてユーザから起動開始命令が与えられると、メイン電源回路２４を起動させる。このことにより、メイン電源回路２４から電源電圧（ＶＤＤ＿１）が発生し、ディスク記録再生装置１０の全ての回路に電源電圧（ＶＤＤ）が投入される。
【００５９】
つぎに、通常動作状態からスリープ状態へ移行する場合の動作及びその逆の動作の制御内容について、図３及び図４のタイミングチャートを参照して説明をする。なお、図３及び図４のタイミングチャートは、（Ａ）がDRAM_ALONE信号、（Ｂ）がDRAM_VDD_CLR信号、（Ｃ）がDRAM_HOLD_DET信号、（Ｄ）がFFCLR信号、（Ｅ）がSLEEP信号、（Ｆ）がメイン電源回路２４の出力電圧（VDD_1）、（Ｇ）がサブ電源回路２５の出力電圧（VDD_2）、（Ｈ）がメイン電源端子２１の端子電圧、（Ｉ）がサブ電源端子２２の端子電圧、（Ｊ）が管理情報メモリ１４を駆動している電源回路の種別を、それぞれ示している。
【００６０】
まず、通常動作状態からスリープ状態に遷移する場合の制御動作について、図３のタイミングチャートを参照して説明をする。
【００６１】
通常動作状態の時（時刻ｔ１１）には、メイン電源回路２４が動作し、サブ電源回路２５が停止している。また、時刻ｔ１１では、DRAM_ALONE信号及びDRAM_VDD_CLR信号がそれぞれローとなっており、FFCLR信号がハイとなっている。FFCLR信号がハイとなっていることから、第１のスイッチ２６は閉じており、メイン電源回路２４の出力電圧（VDD_1）がメイン電源端子２１及びサブ電源端子２２のそれぞれに供給されている。すなわち、管理情報メモリ１４はメイン電源回路２４の発生電圧により駆動されている。また、時刻ｔ１１では、サブ電源回路２５が停止しているので、DRAM_HOLD_DET信号はローとなっている。
【００６２】
続いて、時刻ｔ１２でユーザによりスリープ状態への遷移操作が行われる。スリープ状態への遷移操作が行われると、それを受けたシステムコントローラ１７は、DRAM_ALONE信号をハイとする。DRAM_ALONE信号がハイとなると、それに応じてサブ電源回路２２が動作を開始し、出力電圧（VCC_2）を発生する。発生された出力電圧（VCC_2）は、サブ電源端子２２に供給される。すなわち、管理情報メモリ１４はメイン電源回路２４及びサブ電源回路２５の両者の発生電圧により駆動されることとなる。また、サブ電源回路２５が動作したことから、DRAM_HOLD_DET信号もハイとなる。
【００６３】
また、時刻１２においてサブ電源回路２２の動作を開始すると、チップイネーブル端子（ＣＥ）に出力電圧（VCC_2）がフィードバックされる。従って、その後、DRAM_ALONE信号がローとなるが、サブ電源回路２２は動作し続ける。
【００６４】
続いて、システムコントローラ１７は、DRAM_HOLD_DET信号がハイとなったことを検出し、その一定時間後の時刻ｔ１３においてFFCLR信号をローにする。FFCLR信号がローとなると、第１のスイッチ２６は開放され、メイン電源回路２４からサブ電源端子２２への電圧供給が切断される。メイン電源回路２４からサブ電源端子２２への電圧供給が切断されると、サブ電源端子２２にはサブ電源回路２５からの電圧のみが供給されることとなる。すなわち、管理情報メモリ１４はサブ電源回路２５のみの発生電圧により駆動されることとなる。
【００６５】
続いて、システムコントローラ１７は、FFCLR信号をローにした後、一定時間経過後の時刻ｔ１４において、スリープ命令を発行する。システムコントローラ１７からスリープ命令が発行されると、メイン電源回路２４の動作が停止する。
【００６６】
この結果、メイン電源回路２４が完全に停止し、サブ電源回路２５のみが動作しているスリープ状態に入る。また、第１のスイッチ２６は開いている。従って、サブ電源回路２５の出力電圧（VDD_2）がサブ電源端子２２から出力され、メイン電源端子２１からは電圧は出力されていない。このことにより、管理情報メモリ１４には電源電圧（ＶＤＤ）が供給されているが、それ以外の回路（システムコントローラ１７等）には電源電圧（ＶＤＤ）の供給が停止される。
【００６７】
次に、スリープ状態から通常動作状態に遷移する場合の制御動作について、図４のタイミングチャートを参照して説明をする。
【００６８】
スリープ状態の時（時刻ｔ２１）には、サブ電源回路２５が動作し、メイン電源回路２４が停止している。また、時刻ｔ２１では、DRAM_ALONE信号及びDRAM_VDD_CLR信号がそれぞれローとなっており、FFCLR信号もローとなっている。FFCLR信号がローとなっていることから、第１のスイッチ２６は開いており、サブ電源回路２５の出力電圧（VDD_2）がサブ電源端子２２のみに供給されている。すなわち、管理情報メモリ１４はサブ電源回路２５の発生電圧により駆動されている。また、時刻ｔ２１では、サブ電源回路２５が動作しているので、DRAM_HOLD_DET信号はハイとなっている。
【００６９】
続いて、時刻ｔ２２でユーザにより通常動作状態への遷移操作が行われる。通常動作状態への遷移操作が行われると、メイン電源回路２４が動作を開始する。このため、システムコントローラ１７を含めたその他の回路に電源電圧（ＶＤＤ）が供給され、これらの回路の動作が開始する。
【００７０】
続いて、時刻ｔ２３において、電源電圧が供給されたことにより動作を開始したシステムコントローラ１７は、まず、FFCLR信号をハイとする。FFCLR信号がハイとなると、第１のスイッチ２６は閉じられ、メイン電源回路２４からサブ電源端子２２への電圧供給が開始される。すなわち、管理情報メモリ１４は、メイン電源回路２４とサブ電源回路２５との両者の発生電圧により駆動されることとなる。
【００７１】
続いて、システムコントローラ１７は、FFCLR信号をハイにした後、一定時間経過後の時刻ｔ２４において、DRAM_VDD_CLR信号をハイとする。DRAM_VDD_CLR信号がハイとなると、第２のスイッチ３０が閉じて、サブ電源回路２５のチップイネーブル端子がローとなる。このため、サブ電源回路２５の動作が停止する。
【００７２】
この結果、サブ電源回路２５の動作が完全に停止し、メイン電源回路２４のみが動作している通常動作状態に入る。従って、メイン電源回路２４の出力電圧（VDD_1）がメイン電源端子２１及びサブ電源端子２２から出力される。
【００７３】
以上のようにディスク記録再生装置１０では、管理情報メモリ１４を動作させるための電源電圧（ＶＤＤ）を発生するサブ電源回路２５のチップイネーブル端子（ＣＥ）に、当該サブ電源回路２５の出力電圧（ＯＵＴ＿２）を第２のダイオード２８を介して供給し、このことによりスリープ状態時における当該サブ電源回路２５の動作を保持する。
【００７４】
このため、ディスク記録再生装置１０では、特別な論理回路を用いずに非常に簡単な回路構成で、スリープ状態のときに管理情報メモリ１４にのみ電源電圧を与えて続けることができる。
【００７５】
なお、ディスク記録再生装置１０では、ディスク１が装着されている状態のときに通常状態からスリープ状態に遷移するときのみに、管理情報メモリ１４の電源を保持するようにしてもよい。すなわち、ディスク１が装着されていないときには、管理情報メモリ１４の電源を保持しないようにしてもよい。
【図面の簡単な説明】
【００７６】
【図１】本発明の実施の形態のディスク記録再生装置のブロック構成図である。
【図２】電源管理部の回路図である。
【図３】通常動作状態からスリープ状態へ遷移する際の制御及び動作内容を示したタイミングチャートである。
【図４】スリープ状態から通常動作状態へ遷移する際の制御及び動作内容を示したタイミングチャートである。
【符号の説明】
【００７７】
１  ディスク、１０  ディスク記録再生装置、１１  メディアドライブ部、１４  管理情報メモリ、１７  システムコントローラ、１８  操作/表示部、２０  電源管理部、２１  メイン電源端子、２２  サブ電源端子、２３  電池、２４  メイン電源回路、２５  サブ電源回路、２６  第１のスイッチ、２７  第１のダイオード、２８  第２のダイオード、２９  第３のダイオード、３０  第２のスイッチ、３１  起動コントロール回路
【図１】
2005243125.tif 000003
【図２】
2005243125.tif 000004
【図３】
2005243125.tif 000005
【図４】
2005243125.tif 000006